(57)【要約】【課題】  互いに重なり合うと共に厚さが異なっている相対する２つの先端部分を有している、スリットをもつ少なくとも１つの溝を備えた化学的加熱パックのトリガ用プレートを提供すること。すなわち、熱蓄積／放散材料を始動させるのに有用であり、これによって同一の厚さをもつ従来のトリガ用プレートに対して揺動力を与えること。【解決手段】  化学的加熱パックのトリガ用プレートに、互いに重なり合うと共に厚さが異なっている相対する２つの先端部分を有しているスリットをもつ少なくとも１つの溝を備えること。【選択図】      図３
2006000613.tif 000002
【特許請求の範囲】
【請求項１】
互いに重なり合うと共に厚さが異なっている相対する２つの先端部分を有しているスリットをもつ少なくとも１つの溝を備えることを特徴とする化学的加熱パックのトリガ用プレート。
【請求項２】
前記溝はその底部が最も細くなっていることを特徴とする請求項１に記載の化学的加熱パックのトリガ用プレート。
【請求項３】
トリガ用プレートの底部と最上部の間に斜めの円形窪みが設けられていることを特徴とする請求項２に記載の化学的加熱パックのトリガ用プレート。
【請求項４】
トリガ用プレートの両側面にそれぞれ２つ以上の連続した溝を有していることを特徴とする請求項１に記載の化学的加熱パックのトリガ用プレート。
【請求項５】
前記２つの側面のうちの一方において前記溝の厚さが薄くなっており、かつ前記２つの側面のうちのもう一方において前記溝の厚さが厚くなっていることを特徴とする請求項４に記載の化学的加熱パックのトリガ用プレート。
【請求項６】
前記先端部分は互いに接触する方式で互いに重なり合っていることを特徴とする請求項１に記載の化学的加熱パックのトリガ用プレート。
【請求項７】
トリガ用プレートの両側面の位置の前記先端部分は、攪拌のために重なりが異なっていることを特徴とする請求項１に記載の化学的加熱パックのトリガ用プレート。
【請求項８】
金属材料から製作されていることを特徴とする請求項１に記載の化学的加熱パックのトリガ用プレート。
【発明の詳細な説明】
【技術分野】
【０００１】
本発明は、加熱パックのトリガ用プレート（トリガ）に関し、また詳細には、特殊な型押しツール（金型）によってその斜めの壁厚を薄くさせるように型押しされた溝を有するトリガ用プレートに関する。
【背景技術】
【０００２】
典型的な化学的加熱パックの１つは、我々にとって馴染みのある低温／高温装着バッグ（ｃｏｌｄ／ｈｏｔ  ａｐｐｌｙｉｎｇ  ｂａｇ）であり、また熱の蓄積／放散理論によって、ヒーリング、ヘルスケアまたは物理療法を目的としてこれを人体の皮膚に当てている間に、事前設定の持続時間にわたる低温度または高温度の保持がこの加熱パックによって可能となる。家庭、病院および診療所において化学的加熱パックを見ることができるのはこのためである。
【０００３】
熱を放散する目的では、揺動力（ｆｌｕｃｔｕａｔｉｏｎ  ｆｏｒｃｅ）を発生させるために、その加熱パック内にトリガ用プレートを配置し、結晶化されておりかつ熱を放散するエチル酸ナトリウム溶液などの熱蓄積／放散材料を作動させなければならない。
【０００４】
したがって、トリガ用プレートの設計は製造者が重きを置く対象の１つであり、また本発明者に対して許諾された「ＥＬＡＳＴＩＣ  ＭＥＴＡＬ  ＳＨＥＥＴ  ＩＮ  Ａ  ＣＨＥＭＩＣＡＬ  ＨＥＡＴＩＮＧ  ＰＡＣＫ」と題する台湾実用新案第８０８４８号や金属シートの技法を開示している継続出願などの従来技術に関連する特許が存在している。
【０００５】
米国特許第４，０７７，３９０号、同第４，５７２，１５８号、同第４，８７２，４４２号および同第５，２０５，２７８号などの別の従来技術は、トリガ用プレートの構成および配列について開示している。
【０００６】
図１は従来のトリガ用プレートの上面図を示しており、また図２は従来のトリガ用プレートの断面図を示している。この従来のトリガ用プレートはその大部分が円形の形状をした金属から製作されている。従来のトリガ用プレートの一方の側には、複数の溝Αが型押しされており、またこれらの溝はトリガ用プレートの中心に対して対称として放射状に配置されている。これらの溝Αは、それぞれが同一の壁厚に設けられている、すなわち、それぞれの溝Αを取り囲む壁は、局所的な変形を有するとしても同じ厚さである。
【０００７】
上述した米国特許の引用文献の幾つかは垂直方向で型抜きされた金属シートについて開示しており、これが頻繁に見られるタイプの１つである。
【特許文献１】台湾実用新案第８０８４８号
【特許文献２】米国特許第４，０７７，３９０号
【特許文献３】米国特許第４，５７２，１５８号
【特許文献４】米国特許第４，８７２，４４２号
【特許文献５】米国特許第５，２０５，２７８号
【発明の開示】
【発明が解決しようとする課題】
【０００８】
本発明の主たる目的は、互いに重なり合うと共に厚さが異なっている相対する２つの先端部分を有している、スリットをもつ少なくとも１つの溝を備えた化学的加熱パックのトリガ用プレートを提供することである。
【課題を解決するための手段】
【０００９】
前記の目的を達成するため、本発明の化学的加熱パックのトリガ用プレートは、互いに重なり合うと共に厚さが異なっている相対する２つの先端部分を有しているスリットをもつ少なくとも１つの溝を備えることを特徴とすることからなる。
又、前記溝はその底部が最も細くなっていることが好適である。
又、トリガ用プレートの底部と最上部の間に斜めの円形窪みが設けられていることが好適である。
又、トリガ用プレートの両側面にそれぞれ２つ以上の連続した溝を有していることが好適である
又、前記２つの側面のうちの一方において前記溝の厚さが薄くなっており、かつ前記２つの側面のうちのもう一方において前記溝の厚さが厚くなっていることが好適である。
又、前記先端部分は互いに接触する方式で互いに重なり合っていることが好適である。
又、トリガ用プレートの両側面の位置の前記先端部分は、攪拌のために重なりが異なっていることが好適である。
さらに、金属材料から製作されていることが好適である。
【発明を実施するための最良の形態】
【００１０】
本発明は以下の説明および添付の図面を参照することによってより完全な理解を得ることができる。
【００１１】
図３、４および５を参照すると、基本的に、本発明によるトリガ用プレートの改良は、トリガ用プレート１に溝２が設けられるような型押しによって形成させた少なくとも１つの溝にある。２つ以上の溝が設けられる場合では、これらの溝は対の形に配列させると共に各対の２つの溝をトリガ用プレートの中心に対して互いに対称にして配置させることや、これらの溝は連続して配置されるように配列させることができる。溝の配列は本発明の重要な点ではないため、ここではさらに詳しく記載しないことにする。本発明のトリガ用プレートは金属材料から製作されており、またその溝はトリガ用プレートの断面に沿った型押しによって斜めに形成されており、従来のトリガ用プレートで実施されているような垂直の型押しによって形成されてはいない。さらに、この溝は若干円形の形状に設けられている、すなわち、溝の一方の側面が下に凹でありかつ溝のもう一方の面が上に凹となっている。
【００１２】
再度図３を参照すると、溝２は少なくとも横方向で円形の窪み２２をもつように、その第１の側において最も細い先端２１ａを有しており、かつその第２の側において最も太い基部２１ｂを有している。トリガ用プレートの一方の側に向かう円形の移動方向の間では先端２１ａは先端２１ａと隣り合った別の先端２１ａに重なっており、またトリガ用プレートの別の側に向かう円形の移動方向の間では別の先端２１ａが第１の先端２１ａに重なっている。換言すると、溝２は、異なる厚さに溝２が変形されるように円形の形状および斜めの移動方向を備えた型押し成形によって形成されている。
【００１３】
実際には、溝２の両側は、その底部では厚さが異なると共に互いに反対向きであり、またこの２つの先端２１ａによって互いに対する干渉が形成され、この干渉によって揺動力が生ずる。したがって、これは熱蓄積／放散材料を始動させるのに有用であり、これによって同一の厚さをもつ従来のトリガ用プレートに対して揺動力を与えることができる。
【００１４】
本発明はトリガ用プレートに関して、溝は厚さが同じであるという思い込みを打破するような代替的な問題解決法を提供していることを理解されたい。
【００１５】
本発明について好ましい一実施形態を参照しながら記載してきたが、添付の特許請求の範囲によって規定している本発明の精神を逸脱することなく修正形態や変形形態を容易に実施することができることを理解されたい。
【図面の簡単な説明】
【００１６】
【図１】従来のトリガ用プレートの上面図である。
【図２】従来のトリガ用プレートの断面図である。
【図３】本発明によるトリガ用プレートの断面図である。
【図４】本発明によるトリガ用プレートの斜視図である。
【図５】別の移動方向で攪拌を受けている本発明のトリガ用プレートの断面図である。
【符号の説明】
【００１７】
１  トリガ用プレート
２  溝
２２  窪み
２１ａ  先端
２１ｂ  基部
【図１】
2006000613.tif 000003
【図２】
2006000613.tif 000004
【図３】
2006000613.tif 000005
【図４】
2006000613.tif 000006
【図５】
2006000613.tif 000007